(57)【要約】【課題】メモリーカードが本体から飛び出た状態でカバーを閉じても、カバーおよびメモリーカードの双方の破損を防止することが可能な記録装置を提供すること。【解決手段】外装部２２と、外装部２２の側面に設けられ、外装部２２から外方に飛び出す状態で記憶媒体１６を挿入可能な接続口１５を有するインターフェース部１４と、外装部２２に回動可能に設けられ、接続口１５を覆うカバー１３と、を具備する記録装置１０であって、カバー１３は、外装部２２に設けられる回動軸２３に嵌まり込んで、該カバー１３の回動支点となるヒンジ部２４を具備しており、接続口１５に記憶媒体１６を外装部２２から外方に飛び出すように挿入した状態で、カバー１３を閉じる方向に外力を加えると、該カバー１３と記憶媒体１６とが接触し、カバー１３には、記憶媒体１６の先端部１６ａを支点としてヒンジ部２４を外装部２２の回動軸２３から外す方向に力が作用する。【選択図】図１０
2014017299.tif 000002
【特許請求の範囲】
【請求項１】
本体の外側を覆う外装部と、
前記外装部に設けられ、前記外装部から外方に飛び出す状態で差込対象物を差込可能な接続口を有するインターフェース部と、
前記外装部に回動可能に設けられ、前記接続口を覆うカバーと、
を具備する電子機器であって、
前記カバーは、前記外装部から着脱可能なヒンジ部を具備しており、
前記接続口に前記差込対象物を前記外装部から外方に飛び出すように挿入した状態で、前記カバーを閉じる方向に外力を加える場合に、該カバーと前記差込対象物とが接触し、前記カバーには、前記差込対象物を支点として前記ヒンジ部を前記外装部から外す方向に力が作用する、
ことを特徴とする電子機器。
【請求項２】
請求項１記載の電子機器であって、
前記カバーの裏面には、凸部が形成され、
前記カバーを閉じる方向に外力を加える場合に、前記凸部と前記差込対象物とが接触する、
ことを特徴とする電子機器。
【請求項３】
請求項２記載の電子機器であって、
前記カバーの裏面には、前記凸部と並ぶ位置に凹部が形成され、
前記カバーを閉じる方向に外力を加える場合に、前記凸部と前記差込対象物との接触に先立って、前記凹部に前記差込対象物の一部が入り込む、
ことを特徴とする電子機器。
【請求項４】
請求項１から３のいずれか１項に記載の電子機器であって、
前記ヒンジ部は、前記差込対象物の先端部を支点として該ヒンジ部に作用する力により弾性変形することで、前記回動軸から外れる、
ことを特徴とする電子機器。
【請求項５】
請求項１から４のいずれか１項に記載の電子機器であって、
前記ヒンジ部は、前記カバーに対して外側に設けられる外側部と、内側に設けられる内側部を有しており、前記外側部は前記内側部よりも大きな剛性を有している、
ことを特徴とする電子機器。
【請求項６】
請求項１から４のいずれか１項に記載の電子機器であって、
前記ヒンジ部は、前記カバーに対して外側に設けられる外側部と、内側に設けられる内側部を有しており、前記内側部よりも前記外側部の肉厚を大きく形成している、
ことを特徴とする電子機器。
【請求項７】
請求項５または６に記載の電子機器であって、
前記ヒンジ部において、前記内側部と前記外側部との間に形成される開口部の幅が、前記回動軸の直径よりも小さい、
ことを特徴とする電子機器。
【請求項８】
請求項１から７のいずれか１項に記載の電子機器であって、
前記カバーにおいて前記接続口に対向する部分に可撓性を持たせる、
ことを特徴とする電子機器。
【請求項９】
請求項１から８のいずれか１項に記載の電子機器は記録装置であると共に、前記差込対象物のデータを読み込み、記録処理が可能である、ことを特徴とする記録装置。
【発明の詳細な説明】
【技術分野】
【０００１】
本発明は、電子機器および記録装置に関する。
【背景技術】
【０００２】
近年、電子機器においては、さまざまなカバーが設けられている。たとえば、記録装置においては、メモリーカードスロットに挿入されたメモリーカードに格納されている画像データ等を読み取って、プリント動作を実行可能とするものが普及している。ここで、記録装置の本体において、メモリーカードの挿入に対応するための内部スペースを確保することは、記録装置の本体の大型化に繋がってしまう。このため、メモリーカード全体を格納するだけの内部スペースを確保することなく、挿入されたメモリーカードの一部を本体から飛び出させておくものも存在する。
【０００３】
このようにメモリーカードを本体から飛び出させる構成にあっては、記録装置がデザイン性において劣ったものになるとともに、メモリーカードスロットに外部からの塵埃が混入してしまうという問題が生じる。そこで、記録装置のデザイン性を確保し、塵埃の混入を防止するために、本体にメモリーカードの外側を覆うカバーを設けることが考えられる。本体にカバーを設ける技術としては、特許文献１に記載されているものがある。
【先行技術文献】
【特許文献】
【０００４】
【特許文献１】特開２００１−１８９５６６号公報
【発明の概要】
【発明が解決しようとする課題】
【０００５】
特許文献１に開示の構成によれば、カバーを所定角度以上に開き、該カバーに過負荷がかかると、カバーに設けられる外装部との嵌合部が弾性変形し、カバーが外装部から外れる。このため、過負荷がかかった場合のカバーの破損は防止できるが、メモリーカードが本体から飛び出ている状態で該カバーを閉めると、カバーはメモリーカードと接触し、それによってカバーとメモリーカードの少なくとも一方が破損してしまうという問題が生じる。
【０００６】
本発明は上記の事情にもとづきなされたもので、その目的とするところは、メモリーカードが本体から飛び出た状態でカバーを閉じても、カバーおよびメモリーカードの双方の破損を防止することが可能な電子機器および記録装置を提供しよう、とするものである。
【課題を解決するための手段】
【０００７】
上記課題を解決するために、本発明の記録装置は、本体の外側を覆う外装部と、外装部に設けられ、外装部から外方に飛び出す状態で差込対象物を差込可能な接続口を有するインターフェース部と、外装部に回動可能に設けられ、接続口を覆うカバーと、を具備する記録装置であって、カバーは、外装部に設けられる回動軸に嵌まり込んで、該カバーの回動支点となるヒンジ部を具備しており、接続口に差込対象物を外装部から外方に飛び出すように挿入した状態で、カバーを閉じる方向に外力を加える場合に、該カバーと差込対象物とが接触し、前記カバーには、差込対象物の先端部を支点としてヒンジ部を外装部の回動軸から外す方向に力が作用する、ものである。
【０００８】
このように構成する場合には、カバーにおける記憶媒体との接触部位を支点として、カバーに加わる外力をヒンジ部に伝えることができ、該ヒンジ部を回動軸から外すことが可能になる。このため、カバーに過負荷がかかってもカバーが外装部から外れることで、カバーが破損するのを防止できる。また、カバーが外装部から外れることにより、差込対象物が破損するのを防止可能となる。
【０００９】
また、本発明の他の側面は、上述の発明において、カバーの裏面には、凸部が形成され、カバーを閉じる方向に外力を加える場合に、凸部と差込対象物とが接触する、ことが好ましい。
【００１０】
このように構成する場合には、差込対象物の先端部の凸部側が、凸部にぶつかる（または引っ掛かる）。それにより、差込対象物がカバーの裏面での位置ずれを防ぎながら、差込対象物を良好に撓ませることが可能となる。
【００１１】
さらに、本発明の他の側面は、上述の発明において、カバーの裏面には、凸部と並ぶ位置に凹部が形成され、カバーを閉じる方向に外力を加える場合に、凸部と差込対象物との接触に先立って、凹部に前記差込対象物の一部が入り込む、ことが好ましい。
【００１２】
このように構成する場合には、凸部と並ぶ位置に凹部が設けられているため、差込対象物の先端部を凹部に位置させることが可能となり、凸部よりも先に差込対象物の先端部がカバーに衝突するのを防止可能となる。それにより、差込対象物の変形が生じた後に、凸部側に位置ずれが生じるのを防止可能となる。ここで、カバーの閉じ動作のときに、差込対象物の接触部位が凸部側に移動すると、差込対象物の曲げ量が大きくなるが、凸部と差込対象物の接触部位との間の衝突により、そのような曲げ量が大きくなるのを防止可能となり、差込対象物の破損を良好に防止可能となる。
【００１３】
また、本発明の他の側面は、上述の発明において、ヒンジ部は、差込対象物の先端部を支点として該ヒンジ部に作用する力により弾性変形することで、回動軸から外れる、ことが好ましい。
【００１４】
このように構成する場合には、ヒンジ部が弾性変形するため、よりヒンジ部を回動軸から外れやすくすることが可能となる。したがって、過負荷が大きなものでなくても、カバーを外装部から外すことが可能となり、カバーと差込対象物の破損を良好に防止可能となる。
【００１５】
さらに、本発明の他の側面は、上述の発明において、ヒンジ部は、カバーに対して外側に設けられる外側部と、内側に設けられる内側部を有しており、外側部は内側部よりも大きな剛性を有している、ことが好ましい。
【００１６】
このように構成する場合には、ヒンジ部に作用する力により、剛性の小さい内側部が主として撓むことになるため、内側部を弾性変形させて、ヒンジ部を回動軸から外すことが可能となる。
【００１７】
また、本発明の他の側面は、上述の発明において、ヒンジ部は、カバーに対して外側に設けられる外側部と、内側に設けられる内側部を有しており、内側部よりも外側部の肉厚を大きく形成している、ことが好ましい。
【００１８】
このように構成する場合には、ヒンジ部に作用する力により肉厚の小さい内側部が大きく撓むことになるため、内側部を弾性変形させて、ヒンジ部を回動軸から外すことが可能となる。
【００１９】
さらに、本発明の他の側面は、上述の発明において、ヒンジ部において、内側部と外側部との間に形成される開口部の幅が、回動軸の直径よりも小さい、ことが好ましい。
【００２０】
このように構成する場合には、ヒンジ部が回動軸から外れるのを防止しつつ、ヒンジ部を回動軸に対して回動可能に支持することが可能となる。
【００２１】
また、本発明の他の側面は、上述の発明において、カバーにおいて接続口に対向する部分に可撓性を持たせる、ことが好ましい。
【００２２】
このように構成する場合には、カバーが差込対象物の先端に当接した場合でも、差込対象物からカバーに加わる反力を分散させて和らげることが可能となる。その結果、カバーに加えられる外力によって容易にカバーが破損するのを防止できる。また、差込対象物が破損するのも防止可能となる。
【００２３】
さらに、本発明の他の側面は、上述の各発明に係る電子機器は記録装置であると共に、差込対象物のデータを読み込み、記録処理が可能である、ことが好ましい。
【００２４】
このように構成する場合には、記録装置において、カバーにおける記憶媒体との接触部位を支点として、カバーに加わる外力をヒンジ部に伝えることができ、該ヒンジ部を回動軸から外すことが可能になる。このため、カバーに過負荷がかかってもカバーが外装部から外れることで、カバーが破損するのを防止できる。また、カバーが外装部から外れることにより、差込対象物が破損するのを防止可能となる。
【図面の簡単な説明】
【００２５】
【図１】記録装置の全体を示す斜視図であり、カバーが閉じた状態を示す図である。
【図２】記録装置の全体を示す斜視図であり、カバーが開いた状態を示す図である。
【図３】図２中の一点鎖線Ａで囲んだ部分の拡大図である。
【図４】カバーが開状態のときのカバーと外装部の一部を示す斜視図である。
【図５】カバーが閉状態のときのカバーと外装部の一部を裏側から見た斜視図である。
【図６】カバーが閉状態のときの各ヒンジ部の位置関係を示す図である。
【図７】カバーが９０度開いたときの各ヒンジ部の位置関係を示す図である。
【図８】カバーが１００度開いたときの各ヒンジ部の位置関係を示す図である。
【図９】カバーが１１０度開いたときの各ヒンジ部の位置関係を示す図である。
【図１０】本体から飛び出た記憶媒体にカバーが接触した状態を示す図である。
【図１１】第１のヒンジ部と回動軸の寸法の関係を示す図である。
【図１２】外側部の各部位とカバーの支点との距離関係を示す図である。
【図１３】支点が滑った状態のカバーと外装部の位置関係を示す図である。
【図１４】外側部の各部位とカバーの支点との距離関係の別の例を示す図である。
【発明を実施するための形態】
【００２６】
以下、本発明の一実施の形態に係る記録装置１０（電子機器の一例に対応）について、図面を参照しながら説明する。なお、以下の説明において、図１〜図１０および図１２および図１３に示す矢示Ｘ１方向を「前」、矢示Ｘ２方向を「後（後ろ）」、Ｘ１方向とＸ２方向の両方向に対し水平方向で直交する方向となる矢示Ｙ１方向を「左」、矢示Ｙ２方向を「右」、ＸＹ平面と直交する矢示Ｚ１方向を「上」および矢示Ｚ２方向を「下」とそれぞれ規定する。
【００２７】
＜記録装置の概略構成について＞
図１および図２に示す記録装置１０は、記録対象物に記録を行うものであり、図示を省略する設置面に設置される。記録装置１０の本体１１の前方には各種操作を行うための操作部１２が設けられている。なお、本明細書における「記録」には、印刷が含まれるものとする。
【００２８】
図１および図２に示すように、記録装置１０は、その左方に開閉可能なカバー１３を有している。このカバー１３は、インターフェース部１４に形成される接続口１５を覆う形態で設けられている。図２および図３に示すように、接続口１５には、記憶媒体となるメモリーカード１６が、インターフェース部１４の後方パネル部２１（後述）から外側（前方）に飛び出す状態で挿入される。ここで、接続口１５に挿入されるメモリーカード１６をインターフェース部１４から外側に飛び出させるという構成を採用するのは、メモリーカード１６のための空間を、本体１１のインターフェース部１４よりも内部に大きく確保する必要がなくなり、記録装置１０の小型化が可能となるためである。このため、接続口１５から前方に飛び出た状態でメモリーカード１６はカバー１３によって覆われることになる。本実施の形態では、図１および図２に示すように、カバー１３は左側方からインターフェース部１４の前側全体を覆うため、本体１１にカバー１３の稜線が複数現れることがなくなり、記録装置１０の意匠性の向上を図ることができる。
【００２９】
図２、図３および図４に示すように、カバー１３にはフック体１７が設けられていて、このフック体１７はカバー１３を閉じたときに本体１１の内側に向かって突出する。一方、インターフェース部１４には前方に向かって開口する差込口１８が設けられている。カバー１３を閉じると、フック体１７が差込口１８に嵌まり込んで、カバー１３の閉状態が維持される。また、インターフェース部１４は、差込口１８が設けられる前方部２０と、該前方部２０よりも後方に奥まった位置に形成される後方パネル部２１とを有する。後方パネル部２１には、接続口１５が設けられている。このような構成により、接続口１５に挿入されたメモリーカード１６の前方に飛び出た部分が、前方部２０よりも前方に飛び出すことがなくなる。このため、カバー１３とメモリーカード１６が干渉することなく、カバー１３を閉じることが可能となる。
【００３０】
＜外装部に対するカバーの保持構造について＞
図１〜図３および図５等に示すように、本体１１の外側は外装部２２によって覆われている。なお、外装部２２には、上述したインターフェース部１４も含まれるものとする。図４および図５に示すように、カバー１３が閉状態のときには、カバー１３の後端部に設けられる第１のヒンジ部２４がカバー１３の回動支点となっている。具体的には、外装部２２に設けられる回動軸２３に、該第１のヒンジ部２４が嵌り込むことにより、カバー１３が外装部２２に対して回動可能に支持されている。図５に示すように、回動軸２３は、外装部２２の後端部近傍において上下の２箇所の位置に設けられている。また、外装部２２の左側方には側方部２５が設けられていて、この側方部２５からは左側方に延出する平板状の載置部２６が設けられている。そして、載置部２６には、その上方に向かって円柱状に形成された回動軸２３が突出している。第１のヒンジ部２４は、回動軸２３と対応するように、カバー１３の上下の２箇所の端部に設けられている。該第１のヒンジ部２４は、上から見て略Ｃ型の形状を呈しており、その内側に回動軸２３が嵌まり込んでいる。
【００３１】
また、図５等に示すように、外装部２２には、側方部２５と傾斜する状態で対向する外側方部２８が設けられている。側方部２５と外側方部２８とは、図６（Ｂ）等に示すように、略Ｖ字状をなす状態で対向している。この略Ｖ字状の部分には平板状の形態を有する３つのリブ部２７が設けられている。リブ部２７は、弾性変形をしないように強い剛性を有するように形成されている。図５に示すように、リブ部２７は、上下方向に３つ並んで設けられている。リブ部２７の開口側には前方に向かって略弧状に窪む凹状部３０が形成されている。一方、カバー１３の左側方かつ後端側には、左方向に向かって略弧状に突出する第２のヒンジ部３１が設けられている。第２のヒンジ部３１は、２つの第１のヒンジ部２４，２４の間に存在し、上下方向に沿って設けられている。
【００３２】
図５および図６に示すように、カバー１３が閉状態のときには、第２のヒンジ部３１は、外装部２２とは接触していない。また、外装部２２において、第１のヒンジ部２４および第２のヒンジ部３１よりも後方側で対向する箇所には、第１のヒンジ部２４および第２のヒンジ部３１の側に向かって突出する突出部３２が設けられている。この突出部３２の存在により、カバー１３を開いたときにそのカバー１３が外装部２２と接触しやすくなり、カバー１３の開方向への回動を容易に規制することができることになる。また、突出部３２を設けることで、外装部２２と各ヒンジ部２４，３１との間の隙間を小さくすることができ、外側から外装部２２の内部が目視され難くすることができる。さらに、インターフェース部１４の底部には、外装部２２からカバー１３の落下を防止するための受け部３３が設けられている。受け部３３は、カバー１３の下側に位置している。
【００３３】
図６は、カバー１３が閉状態のときの各ヒンジ部２４，３１の外装部２２との位置関係を示す図であり、図６（Ａ）が第１のヒンジ部２４の位置関係を示す図であり、図６（Ｂ）は第２のヒンジ部３１の位置関係を示す図である。図６（Ａ）に示すように、カバー１３が閉状態のときには、第１のヒンジ部２４は、回動軸２３の外側に位置し、その回動軸２３に対して回動可能な状態で嵌まり込んでいる。すなわち、第１のヒンジ部２４が外装部２２に対するカバー１３の回動支点となっている。
【００３４】
上述したように、第１のヒンジ部２４は、上から見て略Ｃ型の形状を呈している。このため、第１のヒンジ部２４は、カバー１３に対して外側に設けられる略弧状の外側部３４と、カバー１３に対して内側に設けられる略弧状の内側部３５とを有する。そして、外側部３４の略弧状の先端と内側部３５の略弧状の先端との間には隙間が存在している。したがって、回動軸２３を外側部３４と内側部３５で外側から挟み込む形態で、第１のヒンジ部２４は回動軸２３に対して回動可能に支持される。図６（Ａ）に示すように、外側部３４よりも内側部３５の肉厚の方が小さく形成されている。このため、外側部３４は内側部３５よりも大きな剛性を有し、外側部３４よりも内側部３５の方が撓み易くなっている。それにより、カバー１３に外力が加わった際には、外側部３４よりも内側部３５の方が弾性変形しやすい構成となっている。また、外装部２２のうち外側方部２８の先端と非接触で対向する部分（奥側部２９とする）には逃げ部３８Ａが設けられている。逃げ部３８Ａは、奥側部２９において回動軸２３と対向する位置に存在し、上方に向かって略弧状に切り欠かれている。この逃げ部３８Ａにより、第１のヒンジ部２４は外装部２２と干渉することなく自由に回動することが可能となる。
【００３５】
一方、図６（Ｂ）に示すように、カバー１３が閉状態のときには、第２のヒンジ部３１は、外装部２２と接触することなく、外装部２２に対して開放された状態で位置している。具体的には、第２のヒンジ部３１は、リブ部２７と外装部２２の奥側部２９とによって形成される開口空間部３６の開口部３７に差し掛かっている。この状態では、カバー１３は、第１のヒンジ部２４によって保持されている。この開口空間部３６には上方に向かって略弧状に切り欠かれた逃げ部３８Ｂが面している。逃げ部３８Ｂは、外装部２２の奥側部２９においてリブ部２７と対向する位置に形成されている。
【００３６】
図７は、カバー１３が閉状態から開方向に９０度移動したときの各ヒンジ部２４，３１の外装部２２との位置関係を示す図であり、図７（Ａ）は第１のヒンジ部２４の位置関係を示す図であり、図７（Ｂ）は第２のヒンジ部３１の位置関係を示す図である。カバー１３を閉状態から開方向に向かって９０度回動させると、第１のヒンジ部２４は、図７（Ａ）に示すように、回動軸２３の中心を支点として、開方向に向かって９０度回動する。一方、第２のヒンジ部３１は、図７（Ｂ）に示すように、開口空間部３６の内部に入り込んで、リブ部２７の凹状部３０と接触し始める。回動角が０度から９０度の間においては、カバー１３は第１のヒンジ部２４を回動支点として回動する。また、回動角が９０度の状態では、カバー１３は、第１のヒンジ部２４によって保持されるとともに、第２のヒンジ部３１によっても保持され始める。このときのカバー１３は、第１のヒンジ部２４によって外装部２２の外側に外れるのが防止される。しかしながら、第２のヒンジ部３１によるカバー１３の保持され始めることにより、第２のヒンジ部３１によってもカバー１３が外装部２２の外側に外れるのが防止され始める。
【００３７】
図８は、カバー１３が閉状態から開方向に１００度移動したときの各ヒンジ部２４，３１の外装部２２との位置関係を示す図であり、図８（Ａ）は第１のヒンジ部２４の位置関係を示す図であり、図８（Ｂ）は第２のヒンジ部３１の位置関係を示す図である。カバー１３の９０度から１００度までの回動は、図８（Ａ）に示すように、第１のヒンジ部２４を回動支点として行われる。
【００３８】
一方、カバー１３が９０度の回動角を超えて開いていくと、第２のヒンジ部３１は、図８（Ｂ）に示すように、開口空間部３６の内部にさらに入り込んでいく。そして、回動角が大きくなるにつれて、第２のヒンジ部３１と凹状部３０との接触面積も大きくなっていき、回動角が１００度となったときに、第２のヒンジ部３１は、凹状部３０と最大の面積で接触する。このとき、凹状部３０の対向部位であって第２のヒンジ部３１の形状に倣う部分は、その大部分が第２のヒンジ部３１と接触する。また、回動角が９０度を超えると、第２のヒンジ部３１は凹状部３０と接触するため、第２のヒンジ部３１には凹状部３０との間で摩擦抵抗が働く。このため、回動角が９０度を超えると、カバー１３の開動作に対してブレーキをかける力が作用する。したがって、同じ力でカバー１３を開くとすると、９０度から１００度まで回動する際のカバー１３の速度は、カバー１３を閉状態から９０度まで開く際の速度よりも遅くなる。また、９０度から１００度までの開動作では、カバー１３は第１のヒンジ部２４を回動支点として回動する。また、上述したように、回動角が１００度になると、第２のヒンジ部３１は凹状部３０と最大の面積で接触する。このため、回動角が１００度の状態では、カバー１３は、第１のヒンジ部２４および第２のヒンジ部３１の双方によって、外装部２２の外側に外れるのが防止される。
【００３９】
図９は、カバー１３が開方向に１１０度移動したときの各ヒンジ部２４，３１の外装部２２との位置関係を示す図であり、図９（Ａ）は第１のヒンジ部２４の位置関係を示す図であり、図９（Ｂ）は第２のヒンジ部３１の位置関係を示す図である。カバー１３を１００度の回動角を超えて開いてゆくと、図９（Ａ）に示すように、第１のヒンジ部２４が回動軸２３から外れかける。これは、カバー１３を開く際の外力により内側部３５が径方向外方に向かって大きく弾性変形することにより生じる。すなわち、図９（Ａ）に示すように、カバー１３を１００度の回動角を超えてさらに開方向にカバー１３を移動させようとすると、カバー１３において開方向に加えられる外力Ｄが、側面部４０（外側の側面部）と突出部３２の接触部分を支点として、第２のヒンジ部３１に伝達される。そして、伝達された力が第２のヒンジ部３１の内側部３５において径方向外方に向かって力Ｅとして作用し、該内側部３５が弾性変形する。ここで、回動角が１１０度のときにおける、第１のヒンジ部２４の回動軸２３に対する外れ量は、１００度を超えた直後の回動角のものよりも大きくなる。その結果、回動角が１００度を超えると、第１のヒンジ部２４はカバー１３の回動支点として機能しなくなってゆく。
【００４０】
なお、外側部３４は内側部３５よりも肉厚が厚いので、外側部３４の弾性変形は内側部３５の弾性変形よりも小さい。また、カバー１３を１１０度まで回動させると、図９（Ａ）に示すように、第１のヒンジ部２４に連接しているカバー１３の側面部４０が外装部２２の突出部３２と当接して、カバー１３の開方向への回動が規制される。
【００４１】
一方、第２のヒンジ部３１は凹状部３０と全面で接触しているため、カバー１３を１００度の回動角を超えて開く際には、カバー１３は第２のヒンジ部３１を回動支点として開方向に回動しようとする。すなわち、回動角が１００度を超えると、回動支点が第１のヒンジ部２４から第２のヒンジ部３１に移行していく。そして、図９（Ｂ）に示すように、回動角が１１０度になると、カバー１３の側面部４０が外装部２２の突出部３２と当接する。この状態では、第２のヒンジ部３１が凹状部３０と全面で接触するとともに、側面部４０が突出部３２と当接している状態となる。すなわち、カバー１３は、第２のヒンジ部３１と側面部４０の２点において外装部２２に接触している。このとき、カバー１３に加えられる外力Ｄは、第２のヒンジ部３１を支点とし、側面部４０のうち突出部３２との当接部位を作用点として、外装部２２に力Ｇとなって伝達される。このとき、カバー１３は、側面部４０において突出部３２と当接するため、該カバー１３の開方向への移動が規制される。
【００４２】
以上のような力の作用により、カバー１３には、第２のヒンジ部３１を支点として突出部３２を後方に押すような回転モーメントが作用することになる。そして、その回転モーメントが外装部２２の突出部３２において受け止められることにより、カバー１３の開方向への移動が規制される。その結果、カバー１３に過負荷Ｄがかかったときの該カバー１３の開方向への移動は、外装部２２を利用して規制されることになる。しかしながら、外力Ｄ（過負荷Ｄ）が十分に大きい場合には、その外力Ｄの作用によって、記録装置１０は回転させられる。
【００４３】
この記録装置１０の回転について詳述する。まず、カバー１３にゆっくりと外力Ｄを及ぼし、その外力Ｄを徐々に増加させる場合を考える。そのとき、外力Ｄが記録装置１０の静摩擦による力（反力）を超えると、記録装置１０は、外力Ｄの作用によって動き始める。この場合において、記録装置１０が仮に図９に示される部分程度の大きさしかなければ、第２のヒンジ部３１が前側（Ｘ１側）、突出部３２と側面部４０との接触部位が後方側（Ｘ２側）に向かうように回転するが、記録装置１０は図９に示される部分以外にも大きな部分を有している。そのため、記録装置１０は第２のヒンジ部３１が前側（Ｘ１側）に向かうような回転は行わず、記録装置１０の左方を右方よりも後方側に押し込むように記録装置１０を旋回させる状態で移動させる。
【００４４】
また、図９に示すように、カバー１３の背面側には外装部２２からの反力Ｈが加えられる。したがって、カバー１３に外力Ｄがかかると、カバー１３には、開方向に向かう外力Ｄとともに、背面側から押し返される反力Ｈが作用する。ここで、カバー１３の剛性が小さいと、該カバー１３に過負荷Ｄがかかったときに、外装部２２からの反力Ｈに耐え切れず、カバー１３が破損してしまうおそれがある。このため、カバー１３には、記録装置１０の本体１１と該本体１１が設置される不図示の設置面との摩擦抵抗を超えて本体１１を移動させるだけの剛性を持たせるようにしてある。このため、カバー１３に過負荷Ｄがかかった場合でも、本体１１側からカバー１３に加わる反力Ｈを押し返して本体１１を旋回させることが可能となる。
【００４５】
したがって、カバー１３に過負荷Ｄがかかっても、カバー１３を破損させることなく、当該反力Ｈを本体１１の旋回による移動によって逃がすことが可能となる。この際、外装部２２の突出部３２が力点となって本体１１に力が伝達され、本体１１が旋回する。なお、リブ部２７を外装部２２のより右方側に設け、凹状部３０と突出部３２との距離を大きくすると、第２のヒンジ部３１を支点としてカバー１３に作用する回転モーメントがより大きなものとなる。これにより、図９に示す場合よりも小さな外力で本体１１を旋回させることが可能となり、本体１１の旋回を容易に行うことが可能となる。
【００４６】
ここで、記録装置１０が旋回させられるときでも、回動軸２３は第１のヒンジ部２４から完全には外れない。そのため、カバー１３に外力Ｄが作用しなくなると、外側部３４と内側部３５の弾性復帰が作用し、この弾性復帰の力によって、あるいは外力の作用によって回動軸２３が第１のヒンジ部２４に嵌まり込む。
【００４７】
また、１１０度開いた状態からカバー１３を閉める際には、第１のヒンジ部２４および第２のヒンジ部３１は上述した開動作のときと逆の動作を行う。１１０度開いた状態から、カバー１３を閉める場合において第１のヒンジ部２４が回動軸２３から外れかけていると、カバー１３の回動角が１００度になるまでの間に、外側部３４と内側部３５の弾性復帰により回動軸２３が第１のヒンジ部２４に嵌まり込む（図８（Ａ）参照）。それにより、以後の閉方向への動作においては第１のヒンジ部２４はカバー１３の回動支点となる。同時に、カバー１３の側面部４０が突出部３２から離れる（図８（Ａ）参照）。
【００４８】
回動角が１００度の状態から、さらに、カバー１３を閉じていくと、回動角が９０度より小さくなった時点で第２のヒンジ部３１がリブ部２７から離れる（図７（Ｂ）参照）。このため、第２のヒンジ部３１は、カバー１３の回動支点とはならなくなる。一方、第１のヒンジ部２４はカバー１３の回動支点となって回動軸２３の周りを回動する（図７（Ａ）参照）。この時点で、カバー１３の回動支点は第２のヒンジ部３１から第１のヒンジ部２４に完全に移行する。このため、回動角が９０度以下での閉動作は、第１のヒンジ部２４を回動支点として行われる。したがって、回動角が９０度の状態から、さらに、カバー１３を閉じていくと、該カバー１３は第１のヒンジ部２４を回動支点として閉状態まで回動する（図６（Ａ）参照）。一方、第２のヒンジ部３１は閉動作に従って開口空間部３６から離脱していき、閉状態のときには開口空間部３６の開口部３７近傍まで移動する（図６（Ｂ）参照）。
【００４９】
＜外装部からカバーが外れる構造について＞
記憶媒体となるメモリーカード１６には多様な形状のものが存在し、その中でも形状が大きなものを使用した場合には、図１０に示すように、メモリーカード１６の一部が接続口１５から前方に飛び出すことになる。この状態で、カバー１３を閉じると、該カバー１３はメモリーカード１６の先端部１６ａと当接し、該カバー１３の閉動作は阻止される。このため、カバー１３は一部開いたままの状態で維持されることになる。
【００５０】
図４、図１０、図１２および図１３に示すように、カバー１３には、係合部５０が設けられている。係合部５０は、メモリーカード１６の先端部１６ａが衝突して、この先端部１６ａを受け止めるための部分である。この係合部５０には、凹部５１と凸部５２とが設けられている。凹部５１はメモリーカード１６の先端部１６ａが入り込む部分であり、凸部５２よりもヒンジ部２４側に設けられている。また、凹部５１は、メモリーカード１６の入り込みに対応した長さおよび幅を有して形成されている。
【００５１】
この凹部５１には、カバー１３の裏面１３ａ（インターフェース部１４と対向する側の面）に対して略平行となる底部５１ａと、底部５１ａから裏面１３ａ側に向かうように傾斜して設けられるテーパ部５１ｂと、急斜面部５１ｃとを有している。
【００５２】
テーパ部５１ｂは、底部５１ａと凸部５２との間に存在している。このテーパ部５１ｂは、急斜面部５１ｃよりも裏面１３ａに対する傾斜角度が緩やかとなるように設けられている。一方、急斜面部５１ｃは凸部５２とは反対側のヒンジ部２４側に設けられている。この急斜面部５１ｃは、テーパ部５１ｂよりも裏面１３ａに対する傾斜角度が急角度となるように設けられている。そのため、この急斜面部５１ｃでは、メモリーカード１６の先端部１６ａのうち、図１０等における左角側が引っ掛り易い状態となっている。
【００５３】
また、凸部５２は、裏面１３ａよりも突出している部分である。ただし、凸部５２の裏面１３ａに対する突出高さは、接続口１５にメモリーカード１６が位置していない状態でカバー１３を閉じた場合に、良好にカバー１３が閉じる程度のものとなっている。
【００５４】
ところで、上述のような係合部５０を有するカバー１３に外力Ｊがかかる場合を考える。このとき、メモリーカード１６の先端部１６ａの凸部５２側（図１０等において右角側）が、凸部５２にぶつかる（または引っ掛かる）。そして、凸部５２と先端部１６ａの衝突の後に、さらにカバー１３を閉じると、メモリーカード１６は矢示Ａ方向に撓もうとする。
【００５５】
ここで、仮に凹部５１がないと仮定する。その場合、メモリーカード１６のうち図１０において先端部１６ａのうち、図１０等において左角側が、凸部５２よりも裏面１３ａに先に衝突して、メモリーカード１６の矢示Ａ方向に向かう変形が開始される。その場合、裏面１３ａでの先端部１６ａの左角側の位置ずれが生じる等により、変形が安定的とならないが、本実施の形態のように凹部５１が存在する場合には、凹部５１にメモリーカード１６が位置する。そのため、裏面１３ａに対して、凸部５２よりも先に、先端部１６ａの図１０等において左角側が接触するのが防止可能となる。
【００５６】
そして、メモリーカード１６が矢示Ａ方向に撓み始めると、今度は、メモリーカード１６の先端部１６ａのうち図１０等における右角側とは反対側の左角側が、底部５１ａまたは急斜面部５１ｃに接触する。この接触により、メモリーカード１６を矢示Ｂ方向（矢示Ａとは逆方向）に撓ませる力が発生する。これら矢示Ａ方向の力と矢示Ｂ方向の力の発生の結果、メモリーカード１６とカバー１３とが接触している地点を支点（支点Ｓとする）として、メモリーカード１６が撓み変形により逃げていたモーメントが第１のヒンジ部２４に掛かる。それによって、メモリーカード１６は、破損することなく、第１のヒンジ部２４から外れる。
【００５７】
ところで、図１０に示すように、カバー１３においては、第１のヒンジ部２４が外装部２２の回動軸２３に嵌まり込む。そして、第１のヒンジ部２４を回動支点としてカバー１３の開閉の動作が行われる。また、上述したように、第１のヒンジ部２４は略Ｃ型の形状を呈しており、外側部３４と内側部３５を有する。このため、第１のヒンジ部２４は、外側部３４と内側部３５との間において開口する開口部４５を有する。図１０に示すように、第１のヒンジ部２４に作用する力Ｋは、該第１のヒンジ部２４の開口部４５の開口方向とは逆方向に作用する。このため、力Ｋにより第１のヒンジ部２４を弾性変形させることができれば、その力Ｋを利用して、第１のヒンジ部２４を回動軸２３から外すことが可能となる。ここで、カバー１３において接続口１５と対向する部分（メモリーカード１６と接触する部分）は、可撓性を有している。これは、メモリーカード１６と接触する部位に可撓性を持たせることにより、カバー１３が可撓性を有しない場合のように反力Ｍによってカバー１３が破損するのを防止するためである。
【００５８】
上述したように、内側部３５の肉厚は、外側部３４の肉厚よりも小さく形成されており、外側部３４は、内側部３５よりも大きな剛性を有している。このような構成により、内側部３５は外力によって弾性変形しやすいものとなっている。したがって、第１のヒンジ部２４に作用する力Ｋを第１のヒンジ部３１に集中して作用させ、該内側部３５を径方向外方に向かって弾性変形させることが可能となり、その結果、第１のヒンジ部２４を回動軸２３から外すことが可能となる。ここで、図１１に示すように、第１のヒンジ部２４における開口部４５の幅寸法Ｑと回動軸２３の直径寸法２Ｒとの間には、２Ｒ＞Ｑの関係が成立している。このような関係を有することにより、第１のヒンジ部２４は回動軸２３から自然に抜けることがなくなり、回動軸２３に対して回動可能に維持される。
【００５９】
図１２に示すように、支点Ｓと、該支点Ｓから回動軸２３の中心Ｏを通過する線が外側部３４の内周面と交わる点Ｔとの距離Ｒａとし、支点Ｓと外側部３４における内周側の開口端部Ｕとの距離をＲｂとする。図１１および図１２では、開口端部Ｕは回動軸２３に接触しているが、開口端部Ｕが回動軸２３に対して若干離れていても良い。
【００６０】
図１２において２Ｒ＞Ｑの関係に加え、Ｒａ＞Ｒｂの関係が成り立つときには、第１のヒンジ部２４が回動軸２３から外れる際に、カバー１３の支点Ｓはメモリーカード１６上を滑ろうとする。具体的には、上記関係が成り立つときには、図１２に示すように、外側部３４の開口端部Ｕが、点Ｔ（点Ｔは支点Ｓから回動軸２３の中心Ｏを通過する線が外側部３４の内周面と交わる点）よりも周方向において開口部４５側に位置している。すなわち、外側部３４は、周方向において点Ｔを開口部４５側に超えて回動軸２３の外周面を略弧状の形態で覆っている。このため、カバー１３にかかる外力Ｊ（図１０参照）が、支点Ｓを介して第１のヒンジ部２４に力Ｋとして作用しても、第１のヒンジ部２４の回動軸２３からの外れ動作は外側部３４によって阻止される。
【００６１】
したがって、第１のヒンジ部２４が回動軸２３から外れ難くなるものの、内側部３５は外側部３４よりも撓み易いため、外力Ｊが所定より大きくなると、図１３に示すように、その外力Ｊにより、カバー１３は、破線で示す元の状態から右斜め下方にずれる。それに伴い、メモリーカード１６に対するカバー１３の支点Ｓがから図１３において左斜め下に移行しようとするが、その移動は、先端部１６ａが底部５１ａまたは急斜面部５１ｃに衝突することで規制される。この場合、図１３に示すように、外側部３４が矢示Ｖ方向に移動する。このように外側部３４が回動軸２３上において矢示Ｖ方向にずれるため、内側部３５が撓むことで外側部３４によって第１のヒンジ部２４の回動軸２３からの外れ動作が阻止されることがなくなる。その結果、内側部３５が径方向外方に向かって撓み、それによって第１のヒンジ部２４は支点Ｓを中心として、図１３中の矢示Ｘ方向に向かって回動軸２３から外れる。
【００６２】
一方、２Ｒ＞Ｑの関係に加え、図１４に示すように開口端部Ｕが点Ｔよりも周方向において開口部４５から離れる側に位置しているときには、支点Ｓはカバー１３の裏面１３ａ（凹部５１を含む）をほとんど移動することなく、第１のヒンジ部２４は回動軸２３から外れる。このとき、外力Ｊが作用しても、外側部３４によっては回動軸２３からの外れ動作は阻止されず、内側部３５が撓むことにより、第１のヒンジ部２４は回動軸２３から外れる。したがって、支点Ｓはメモリーカード１６上において維持され、該支点Ｓを中心として、第１のヒンジ部２４は、図１３中の矢示Ｘ方向に向かって回動軸２３から外れる。
【００６３】
＜本実施の形態における効果＞
以上のような構成の記録装置１０によると、カバー１３を閉じる方向に外力Ｊを加えると、該カバー１３とメモリーカード１６とが接触し、カバー１３には、メモリーカード１６の先端部１６ａを支点Ｓとして第１のヒンジ部２４を外装部２２の回動軸２３から外す方向に力Ｋが作用する。このため、カバー１３におけるメモリーカード１６との接触部位を支点Ｓとして、カバー１３に加わる外力Ｊを第１のヒンジ部２４に伝えることができ、該第１のヒンジ部２４を回動軸２３から外すことが可能になる。このため、カバー１３に外力Ｊがかかってもカバー１３が外装部から外れることで、カバー１３およびメモリーカード１６が破損するのを防止できる。
【００６４】
また、本実施の形態では、カバー１３の裏面１３ａには、凸部５２が設けられている。このため、メモリーカード１６の先端部１６ａの凸部５２側（右角側）が、凸部５２にぶつかる（または引っ掛かる）。それにより、メモリーカード１６が裏面１３ａでの位置ずれを防ぎながら、当該メモリーカード１６を良好に撓ませることが可能となる。さらに、凸部５２以外に凹部５１も設けられている。このため、メモリーカード１６の先端部１６ａを凹部５１に位置させることが可能となり、凸部５２よりも先にメモリーカード１６の先端部１６ａがカバー１３に衝突するのを防止可能となる。それにより、メモリーカード１６の変形が生じた後に、凸部５２側に位置ずれが生じるのを防止可能となる。ここで、カバー１３の閉じ動作のときに、先端部１６ａの接触部位が凸部５２側に移動すると、メモリーカード１６の曲げ量が大きくなるが、凸部５２と先端部１６ａとの間の衝突により、そのような曲げ量が大きくなるのを防止可能となり、メモリーカード１６の破損を良好に防止可能となる。
【００６５】
また、第１のヒンジ部２４は、メモリーカード１６の先端部１６ａを支点Ｓとして該第１のヒンジ部２４に作用する力Ｋにより弾性変形する。このように、第１のヒンジ部２４が弾性変形することにより、第１のヒンジ部２４を回動軸２３からより外れやすくすることが可能となる。したがって、外力Ｊが大きなものでなくても、カバー１３を外装部２２から外すことが可能となり、カバー１３とメモリーカード１６の破損を良好に防止可能となる。
【００６６】
また、第１のヒンジ部２４の外側部３４は内側部３５よりも大きな剛性を有している。このため、第１のヒンジ部２４に作用する力Ｋが剛性の小さい内側部３５に集中することになり、内側部３５を弾性変形させて、第１のヒンジ部２４を回動軸２３から外すことが可能となる。
【００６７】
また、第１のヒンジ部２４の内側部３５よりも外側部３４の肉厚を大きく形成している。このため、第１のヒンジ部２４に作用する力Ｋにより肉厚の小さい内側部３５が大きく撓むことになるため、内側部３５を弾性変形させて、第１のヒンジ部２４を回動軸２３から外すことが可能となる。
【００６８】
また、第１のヒンジ部２４における開口部４５の幅が、回動軸２３の直径よりも小さく形成されている。このため、第１のヒンジ部２４が回動軸２３から外れるのを防止しつつ、第１のヒンジ部２４を回動軸２３に対して回動可能に支持することが可能となる。
【００６９】
また、カバー１３において接続口１５に対応する部分は可撓性を有している。このため、カバー１３がメモリーカード１６の先端部１６ａに当接した場合でも、メモリーカード１６からカバー１３に加わる反力Ｍを分散させて和らげることが可能となる。その結果、カバー１３に加えられる外力Ｊによって容易にカバー１３が破損するのを防止できる。
【００７０】
＜変形例＞
以上、本発明の一実施の形態について述べたが、本発明は、種々変形可能である。以下、それについて述べる。
【００７１】
上述の実施の形態では、第１のヒンジ部２４はＣ型形状に形成されている。しかしながら、第１のヒンジ部２４を略円弧状や多角形状等それ以外の形状で形成するようにしても良い。開方向に一定の負荷がかかった場合に、第１のヒンジ部が回動軸２３から外れ、カバー１３を閉じるときに、回動軸２３が第１のヒンジ部２４に再び嵌まり込む形態であれば、他の形状としても良い。
【００７２】
また、上述の実施の形態では、第１のヒンジ部２４は上下に２つ設けられているが、第１のヒンジ部２４の数は２つに限定されるものではなく、１つのみ、あるいは３つ以上設けるようにしても良い。また、第１のヒンジ部２４を設ける位置はカバー１３の上端部と下端部に限定されるものではなく、カバー１３の上端部と下端部の間の位置に設けるようにしても良い。また、第２のヒンジ部３１も縦方向に沿って１つ設けることに限定されるのもではなく、複数に分割して設けるようにしても良い。また、たとえば、第１のヒンジ部２４を上下方向の中央側に設け、第２のヒンジ部３１をカバー１３の上下の端部に設けるようにしても良い。
【００７３】
また、上述の実施の形態では、内側部３５は外側部３４よりも肉薄に形成されている。しかしながら、内側部３５が弾性変形可能となるならば、外側部３４と内側部３５とを同じ厚さ寸法で形成するようにしても良いし、外側部３４を内側部３５よりも肉薄に形成しても良い。
【００７４】
また、上述の実施の形態では、カバー１３において接続口１５に対向する部分は、可撓性を有しているが、当該部分を可撓性を有さないような構成としても良い。
【００７５】
また、上述の実施の形態では、差込対象物がメモリーカード１６であると共に、カバー１３は接続口１５が設けられるインターフェース部１４の外側を覆う用途で用いられている。しかしながら、差込対象物がメモリーカード１６以外であり、そのメモリーカード１６以外の他の接続口や他の部位をカバー１３が覆う用途で用いられていても良い。ここで、差込対象物としては、たとえば、各種のケーブル、各種の通信機器等としても良く、カバー１３はそれらの他の接続口や他の部位を覆う用途で用いるようにしても良い。
【００７６】
また、上述の実施の形態では、カバー１３は左側方に設けられているが、カバー１３の位置は当該部位に限定されるものではなく、たとえば、右側方に設けても良いし、上方に設けても良い。また、上述の実施の形態では、電子機器の一例として、記録装置１０について説明している。しかしながら、電子機器は記録装置１０に限られるものではなく、コンピューター、撮像装置、複写機能を有する装置、電話機、ファクシミリ装置、携帯型電子機器、ナビゲーション装置等を始めとする、各種の装置としても良い。
【符号の説明】
【００７７】
１０…記録装置（電子機器の一例に対応）、１１…本体、１３…カバー、１４…インターフェース部、１５…接続口、１６…メモリーカード（差込対象物に対応）、１６ａ…先端部、２２…外装部、２４…第１のヒンジ部（ヒンジ部に対応）、３４…外側部、３５…内側部、４０…側面部、４５…開口部、５０…係合部、５１…凹部、５１ａ…底部、５１ｂ…テーパ部、５１ｃ…急斜面部、５２…凸部、Ｓ…支点
【図１】
2014017299.tif 000003
【図２】
2014017299.tif 000004
【図３】
2014017299.tif 000005
【図４】
2014017299.tif 000006
【図５】
2014017299.tif 000007
【図６】
2014017299.tif 000008
【図７】
2014017299.tif 000009
【図８】
2014017299.tif 000010
【図９】
2014017299.tif 000011
【図１０】
2014017299.tif 000012
【図１１】
2014017299.tif 000013
【図１２】
2014017299.tif 000014
【図１３】
2014017299.tif 000015
【図１４】
2014017299.tif 000016